(57)【要約】  本発明は、ベッド用シーツ、ピローケース、敷布団の包布、敷布団用シーツ、枕カバー等の寝具用カバーであって、その少なくとも一部がカバード糸製の編物又は織物で製造されてなるものを提供する。当該カバード糸は、弾性又は伸縮性繊維（例えば、「スパンデックス（商標）」）製の芯部と、その芯部の周りを覆う被覆材とを有し、その芯部を構成する弾性又は伸縮性繊維の重量は、カバード糸の総重量の１乃至２０％を占めている。  本発明の寝具用カバーは、様々なサイズの寝具に対して使用できる。また、本発明により、洗濯での縮みによって使用出来なくなるという問題が解決される。
2006082725.tif 000002
【特許請求の範囲】
【請求項１】
寝具用カバーであって、その少なくとも一部がカバード糸製の編物又は織物で製造されてなり、当該カバード糸は、弾性又は伸縮性繊維製の芯部と、その芯部の周りを覆う被覆材とを有し、その芯部を構成する弾性又は伸縮性繊維の重量がカバード糸の総重量の１乃至２０％を占めていることを特徴とする寝具用カバー。
【請求項２】
カバード糸は、ポリウレタン繊維製の芯部を有し、被覆材は、木綿、ポリエステル、アクリル、レーヨン、ポリプロピレン、羊毛、麻及びナイロンからなる群から選択される一種以上の繊維製である、請求項１に記載の寝具用カバー。
【請求項３】
カバード糸製の編物又は織物の単位重量が１００ｇ／ｍ２乃至３６０ｇ／ｍ２である、請求項１又は２に記載の寝具用カバー。
【請求項４】
カバード糸製の編物又は織物の単位重量が３６０ｇ／ｍ２超且つ５００ｇ／ｍ２以下である、請求項１又は２に記載の寝具用カバー。
【請求項５】
カバード糸製の編物又は織物がパイル地又はタオル地である、請求項４に記載の寝具用カバー。
【請求項６】
寝具用カバーが、ベッド用シーツ、ピローケース、敷布団の包布、敷布団用シーツ及び枕カバーからなる群から選択される一種以上である、請求項１乃至５のいずれか１項に記載の寝具用カバー。
【請求項７】
寝具用カバーが箱型ベッド用シーツであり、その上蓋部はキルティング製であり、上蓋部以外の個所はカバード糸製の編物又は織物製である、請求項１乃至５のいずれか１項に記載の寝具用カバー。
【請求項８】
寝具用カバー全体が、カバード糸製の編物又は織物で構成されている、請求項１乃至６のいずれか１項に記載の寝具用カバー。
【請求項９】
カバード糸製の編物又は織物が編物である、請求項１乃至４及び６乃至８のいずれか１項に記載の寝具用カバー。
【発明の詳細な説明】
【技術分野】
【０００１】
本発明は、伸縮性に優れる寝具用カバーに関する。
【背景技術】
【０００２】
現在、ホテルでは、ベッドメーキングにあたり、一枚の布製のシーツを用い、ベッド用マットレスを包み込んでいる。また、一般家庭においても、従来はホテルで行われている方法に倣ってベッドメーキングが行われていた。しかし、この方法は非常に手間がかかる。そのような中、底のない箱型でその外周（側面の底部）にゴムを縫いつけたシーツが考案され、現在では、一般家庭用のベッド用シーツとしては、この箱型のものが主流となっている。【０００３】
ところで、現代社会においては、生活習慣が多様であり、人の身長等も様々であることに加え、住宅事情の問題も考慮して、様々の大きさのベッド及びベッド用マットレスが販売されている。一例として、シングルサイズのベッド用マットレスのサイズについて述べると、日本において団地サイズと呼称されているものは、そのサイズが９０ｃｍ×１９５ｃｍ×１８ｃｍ程度であるが、ゆったりとした就寝生活を求める人のために提供されているシングルワイドロングサイズと呼称されているものは、そのサイズが１１０ｃｍ×２１５ｃｍ×１８ｃｍ程度とかなり大きい。このように、シングルサイズのベッド用マットレスの範疇に入るものでも、大きいものと小さいものとでは、幅で２０ｃｍ、長さで２０ｃｍもの差がある。また、ベッド用マットレスの高さにしても、クッション性を求める人のために提供されている商品の中には、その高さが４０ｃｍ程度のものさえある。このように、様々なベッド用マットレスのサイズに合わせ、様々なサイズのベッド用シーツを揃えることは、家具店、寝装具店や寝装具売り場にとっては負担であるし、一方、消費者は、サイズの合わないものを誤って購入する虞がある。【０００４】
現在は、ベッド用マットレスのみならず、布団も様々なサイズのものが販売されている。そのような様々な布団のサイズに合わせ、様々なサイズの包布等を揃えることは、寝装具店や寝装具売り場にとっては負担であるし、一方、消費者は、サイズの合わないものを誤って購入する虞がある。また、包布の場合、それが例えば木綿製のものであると、洗濯によって縮み、長さが不足し、使用できなくなることがある。【０００５】
また、近年においては、質のよい睡眠を取ることに関心が寄せられるようになってきている。質のよい睡眠を取るためには、枕の大きさ、高さ、形状が重要であるとされ、人間工学の面から検討された特定の曲線形状を有する枕が市販され、あるいはオーダーメードで作られるようになってきている。しかし、通常の織物（布）を使用したのでは、このような曲線形状を有する枕にフィットするピローケース（又は枕カバー）の製造は困難であり、箱型のピローケースで代用しているという現状がある。【０００６】
特許文献１には、弾性糸の周囲に添え糸と捲き付け糸とが配置されてなる伸縮性糸が開示されている。当該特許公報には、このような伸縮性を有する糸は、靴下等の衣料に用いられる旨が記載されている。【０００７】
また、非特許文献１によると、カバード糸の用途は、ソックス、パンティストッキング、タイツ等である。
【特許文献１】特公昭６０−５４４１２号公報
【非特許文献１】「マルロン（登録商標）」と称するカバード糸についての製品案内（マルロンとは？；ｈｔｔｐ：／／ｗｗｗ．ｍａｒｕｌｏｎ．ｃｏ．ｊｐ／ｓｅｉｈｉｎ０１．ｈｔｍ）
【発明の開示】
【発明が解決しようとする課題】
【０００８】
上記の如く、寝具には様々なサイズがあり、寝装具も、寝具のサイズに合わせることが必要である関係上、多種類のものが販売されている。本発明者等は、様々なサイズの寝具に対して使用できる寝装具を開発すれば、店舗の品揃えの問題も、消費者の誤購買の問題もなくなると考えた。また、そのような寝装具の製造に、上記の伸縮性糸を使用できるのではないかと考えた。そして、伸縮性糸を使用した伸縮性のある寝装具を開発すれば、包布等が洗濯での縮みによって使用出来なくなるという問題も解決できると考えた。【０００９】
また、本発明者等は、伸縮性糸を使用してピローケースを製造することにより、「曲線形状を有する枕にフィットするピローケースがほしい」という要望に応えられると考えた。【００１０】
本発明は、上記の課題を解決する寝具用カバー、具体的には、その素材の少なくとも一部が伸縮性を有する寝具用カバーを提供することを目的とする。
【課題を解決するための手段】
【００１１】
本発明者らは、上記目的を達成するために鋭意研究し、本発明を完成させた。【００１２】
即ち、本発明は、寝具用カバーであって、その少なくとも一部がカバード糸製の編物又は織物で製造されてなり、当該カバード糸は、弾性又は伸縮性繊維製の芯部と、その芯部の周りを覆う被覆材とを有し、その芯部を構成する弾性又は伸縮性繊維の重量がカバード糸の総重量の１乃至２０％を占めていることを特徴とする寝具用カバーに関する。【００１３】
この寝具用カバーは、以下の（１）乃至（７）の態様の中のいずれか又はそれらの中の二つ以上を組み合わせた態様であってよい。【００１４】
（１）カバード糸は、ポリウレタン繊維製の芯部を有し、被覆材は、木綿、ポリエステル、アクリル、レーヨン、ポリプロピレン、羊毛、麻及びナイロンからなる群から選択される一種以上の繊維製である上記寝具用カバー。【００１５】
（２）カバード糸製の編物又は織物の単位重量が１００ｇ／ｍ２乃至３６０ｇ／ｍ２である、上記寝具用カバー。【００１６】
（３）カバード糸製の編物又は織物、例えばパイル地又はタオル地、の単位重量が３６０ｇ／ｍ２超且つ５００ｇ／ｍ２以下である、上記寝具用カバー。【００１７】
（４）寝具用カバーが、ベッド用シーツ、ピローケース、敷布団の包布、敷布団用シーツ及び枕カバーからなる群から選択される一種以上である、上記寝具用カバー。【００１８】
（５）寝具用カバーが箱型ベッド用シーツであり、その上蓋部はキルティング製であり、上蓋部以外の個所はカバード糸製の編物又は織物製である、上記寝具用カバー。【００１９】
（６）寝具用カバー全体が、カバード糸製の編物又は織物で構成されている、上記寝具用カバー。【００２０】
（７）カバード糸製の編物又は織物が編物である、上記寝具用カバー。
【発明の効果】
【００２１】
本発明により、様々なサイズの寝具に対して使用できるの寝具用カバーが提供される。【００２２】
また、本発明により、洗濯での縮みによって使用出来なくなるという問題が解決された寝具用カバーが提供される。【００２３】
さらに、本発明により、曲線形状を有する寝具、特に枕、にフィットする寝具用カバーが提供される。
【図面の簡単な説明】
【００２４】
【図１】カバード糸の一例（シングルカバード糸）を示す模式図である。
【図２】カバード糸の他の例（ダブルカバード糸）を示す模式図である。
【図３】カバード糸の更に他の例（コアスパン糸）を示す模式図である。
【図４】本発明の寝具用カバーの一例である敷布団用包布を示す模式図である。
【図５】本発明の寝具用カバーの一例である敷布団用包布を示す模式図である。
【図６】本発明の寝具用カバーの一例である円筒形枕カバーを示す模式図である。
【図７】本発明の寝具用カバーの例である箱型ベッド用シーツを示す模式図である。
【図８】本発明の寝具用カバーの一例であるピローケースと、そのピローケースが装着されるピローとを示す模式図である。
【符号の説明】
【００２５】
１    ポリウレタン糸
３    ポリエステル糸
５    木綿糸
７    短繊維
１０  シングルカバード糸
２０  ダブルカバード糸
３０  コアスパン糸
４０  敷布団の包布
５０  枕カバー
６０  箱型ベッド用シーツ
７０  箱型ベッド用シーツ
８０  ピローケース
９０  テンピュール（登録商標）ミレニアムピロー
【発明を実施するための最良の形態】
【００２６】
以下に、本発明について詳細に説明する。【００２７】
本発明において、寝具用カバーとは、寝具、即ち、ベッド用マットレスや布団や枕を覆うために使用されるもの全てを指す。その具体例としては、ベッド用シーツ、ピローケース、敷布団の包布、敷布団用シーツ及び枕カバー等が挙げられる。【００２８】
カバード糸とは、弾性又は伸縮性繊維製の芯部が、芯部に使用したものとは異なる素材で構成される被覆材で覆われてなるものである。【００２９】
芯部を構成する弾性又は伸縮性繊維の例としては、ポリウレタン繊維及びポリウレタン系繊維（ポリウレタンと他の素材との混繊維）が挙げられる。その代表例は、スパンデックス（商標）と呼称されているポリウレタン繊維である。芯部は、例えばポリウレタン繊維製の糸である。【００３０】
芯部の周りを覆う被覆材、具体例としては糸や繊維、の素材は、芯部に使用したものとは異なる素材である限り、特に限定されない。その例としては、木綿、ポリエステル、アクリル、レーヨン、ポリプロピレン、羊毛、麻及びナイロンが挙げられる。これらの素材は、単独で使用しても、２種以上を混合して使用してもよい。なお、「混合して使用」とは、例えば、混紡糸としての使用、混繊維としての使用、２種以上の互いに異なる素材の糸の使用等を包含する概念である。この芯部の周りを覆う被覆材の風合いが、カバード糸の風合いとして認識される。【００３１】
カバード糸の代表例として、図１に示すシングルカバード糸１０、図２に示すダブルカバード糸２０、及び図３に示すコアスパン糸３０が挙げられる。【００３２】
シングルカバード糸１０は、例えば、ポリウレタン繊維製の芯部１の周りに、木綿糸３が一重巻きにされているものであり、ダブルカバード糸２０は、例えば、ポリウレタン繊維製の芯部１の周りに、ポリエステル糸３が巻かれ、その更に外側に、木綿糸５が巻かれているものである。なお、芯部１の周りに二重に巻かれる糸は、同じ素材のものであってもよい。【００３３】
コアスパン糸３０は、例えば綿や羊毛の短繊維７の紡績工程で、ポリウレタン糸１を芯に入れて紡績糸としたものである。本発明の寝具用カバーの全部又は一部に、コアスパン糸を使用することが好ましい。【００３４】
このようなカバード糸は、芯部の素材が弾性又は伸縮性繊維であるため、このカバード糸を用いて製造された編物や織物は、弾性や伸縮性を示す。【００３５】
本発明で使用するカバード糸は、芯部が、カバード糸の全重量の１乃至２０％、好ましくは２乃至１５％、更に好ましくは４乃至１２％、特に好ましくは６乃至１０％である。このような割合であると、芯部の弾性や伸縮性が発揮され、且つ、芯部を覆う糸又は繊維の風合いが認識される。【００３６】
編物や織物の強度や耐久性を考慮すると、本発明の寝具用カバーの少なくとも一部を構成するカバード糸製編物や織物の単位重量は、１００ｇ／ｍ２乃至３６０ｇ／ｍ２であることが好ましく、１３０ｇ／ｍ２乃至３００ｇ／ｍ２であることがさらに好ましく、１５０ｇ／ｍ２乃至２５０ｇ／ｍ２であることが特に好ましい。【００３７】
このような編物の例として、メリヤス編み、ガーター編み、かのこ編みの編物が挙げられる。また、このような織物の例として、平織、綾織、朱子織の織物が挙げられる。【００３８】
また、カバード糸製の編物又は織物として、その単位重量が、好ましくは２５０ｇ／ｍ２超且つ５００ｇ／ｍ２以下、さらに好ましくは３００ｇ／ｍ２超且つ５００ｇ／ｍ２以下、特に好ましくは３６０ｇ／ｍ２超且つ５００ｇ／ｍ２以下のもの、例えばパイル地、タオル地を使用することも出来る。【００３９】
本発明の寝具用カバーは、その少なくとも一部が、上記カバード糸製の編物又は織物で製造されてなるものである。【００４０】
「その少なくとも一部」とは、寝具カバーの一部分又は全部をいう。寝具カバーの一部分が上記カバード糸製の編物又は織物で製造されてなるものの例は、以下のとおりである。
（１）図４及び図５に示す敷布団用包布であって、その四辺の中の２辺に接する一部４１（図４）又は３辺に接する一部４３（図５）がカバード糸製の織物で製造されてなり、その他の個所４５は、綿ブロードで製造されてなるもの、（２）図６に示す円筒形の枕カバーであって、その１／２（その断面の円周の半分を構成する部分）５１がカバード糸製の織物で製造されてなり、残部５３が綿・ポリエステル混紡糸製織物で製造されてなるもの、及び（３）図７中（Ａ）に示す箱型ベッド用シーツ６０であって、上蓋部６５がキルティング製であり、それ以外の個所（箱の側面に相当する個所）６３が、カバード糸製の編物で製造されてなるもの。なお、このような箱型ベッド用シーツ６０において、キルティング製上蓋部６５は、ベッド用マットレス表面の硬さを和らげ、吸汗性を高めるベッドパッドとしての役割を果たす。【００４１】
もちろん、寝具カバーの全部を、上記カバード糸製の編物又は織物で製造してもよい。【００４２】
以下、実施例により、本発明を具体的に説明する。
【実施例１】
【００４３】
スパンデックス（商標）製の芯部（８重量％）の周りを木綿繊維（９２重量％）で被覆してなるカバード糸（コアスパン糸）であって、糸番手＃３０のニット糸にて、単位重量が１９０ｇ／ｍ２の編物を製造した。この編物を引張ったところ、その最大伸び率は、縦５０％、横９０％であった。
【実施例２】
【００４４】
スパンデックス（商標）製の芯部（７重量％）の周りを木綿繊維（２８重量％）とポリエステル繊維（６５重量％）との混綿繊維で被覆してなるカバード糸（コアスパン糸）であって、糸番手＃３０のものを、縦７６本、横１１０本で用いて織物を製造した。この織物の単位重量は、１５０ｇ／ｍ２であった。この織物を引張ったところ、その最大伸び率は、縦４０％、横７０％であった。
【実施例３】
【００４５】
スパンデックス（商標）製の芯部（８重量％）の周りを木綿繊維（９２重量％）で被覆してなるカバード糸（コアスパン糸）であって、糸番手＃３０のニット糸にて、単位重量が１９０ｇ／ｍ２となるように丸編みをし、得られた編物を切り開いて幅が１５０ｃｍの編物を得た。【００４６】
この編物を用い、図７中（Ｂ）に示す箱型ベッド用シーツ７０を製造した。なお、編物の幅方向が、シーツの幅方向となるように使用した。出来上がり寸法は、幅９０ｃｍ、長さ１７０ｃｍ、側面の高さ２５ｃｍであった。【００４７】
このシーツで、以下の５種類のサイズのベッド用マットレスを被覆したところ、いずれのマットレスにもフィットした。【００４８】
使用したベッド用マットレスのサイズ（幅×長さ×高さ）：
１００ｃｍ×２００ｃｍ×２５ｃｍ、１１０ｃｍ×２００ｃｍ×３０ｃｍ、１２０ｃｍ×２１０ｃｍ×３０ｃｍ、１４０ｃｍ×２００ｃｍ×３０ｃｍ、１６０ｃｍ×２００ｃｍ×２５ｃｍ
【実施例４】
【００４９】
スパンデックス製（商標）の芯部（７重量％）の周りを木綿繊維（２８重量％）とポリエステル繊維（６５重量％）との混綿繊維で被覆してなるカバード糸（コアスパン糸）であって、糸番手＃３２のものを、縦７８本、横１１０本で用いて幅１５２ｃｍの織物を製造した。【００５０】
この織物を用い、図７中（Ｂ）に示す箱型ベッド用シーツ７０を製造した。なお、織物の幅方向が、シーツの幅方向となるように使用した。出来上がり寸法は、幅９０ｃｍ、長さ１７０ｃｍ、側面の高さ２５ｃｍであった。【００５１】
このシーツで、実施例１に記載されたものと同様の５種類のサイズのベッド用マットレスを被覆したところ、いずれのマットレスにもフィットした。
【実施例５】
【００５２】
表地及び裏地が木綿１００％の編物製であり、中綿はポリエステル製（１００％）で３００ｇ／ｍ２からなるキルティングを用意した。このキルティングのサイズは、９７ｃｍ×１９７ｃｍであった。このキルティングの周囲に、実施例１で使用したものと同様の編物であって幅が２５ｃｍのものを縫いつけ、図７中（Ａ）に示す箱型ベッド用シーツ６０を製造した。なお、キルティング側の縫い代は、各１ｃｍとした。出来上がり寸法は、幅９５ｃｍ、長さ１９５ｃｍ、側面の高さ２３ｃｍであった。【００５３】
このシーツで、以下の３種類のサイズのベッド用マットレスを被覆したところ、いずれのマットレスにもフィットした。【００５４】
使用したベッド用マットレスのサイズ（幅×長さ×高さ）：
１００ｃｍ×２００ｃｍ×２５ｃｍ、１１０ｃｍ×２００ｃｍ×３０ｃｍ、１２０ｃｍ×２１０ｃｍ×３０ｃｍ、１００ｃｍ×２００ｃｍ×３５ｃｍ
【実施例６】
【００５５】
実施例１と同様の編物を用い、図８中（Ａ）に示す形状及び大きさのピローケース８０を製造した。【００５６】
このピローケース８０を、図８中（Ｂ）に示す形状で、以下の表１に示すサイズ（全６種）のテンピュール（登録商標）ミレニアムピロー９０に装着させたところ、いずれのサイズの枕にも装着することが出来た。【００５７】
【表１】
2006082725.tif 000003
【実施例７】
【００５８】
実施例２と同様の織物と、木綿糸（糸番手＃３０）を縦７６本、横１１０本で用いて製造した織物とを用意した。【００５９】
これらの織物を用い、円筒形枕カバー（幅４０ｃｍ、円周５０ｃｍ）３種を製造した。その一つ（枕カバーｘ）は、図６中（Ａ）に示すように、その１／２（４０ｃｍ×２５ｃｍ）の部分５１を実施例２と同様の織物で、残部（４０ｃｍ×２５ｃｍ）５３を木綿製織物で製造したもの、２番目（枕カバーｙ）は、全てを実施例２と同様の織物で製造したもの、他の一つ（枕カバーｚ）は、全てを木綿製織物で製造したものであった。なお、織物の幅方向を、枕カバーの幅方向として使用した。【００６０】
これらの枕カバーｘ、ｙ及びｚを、幅４２ｃｍ、枕中央部の円周の長さが４８ｃｍの円筒形枕に装着したところ、丁度よく被覆することができた。【００６１】
これらの枕カバーｘ、ｙ及びｚを、家庭用洗濯機で洗濯し、電気乾燥機で乾燥させた。これを合計１０回繰り返した。その後、前記円筒形枕に装着しようとしたところ、枕カバーｘ及びｙは装着することができたが、枕カバーｚは縮んで装着することが出来なかった。
【実施例８】
【００６２】
スパンデックス（商標）製の芯部（８重量％）の周りを木綿繊維（９２重量％）で被覆してなるカバード糸（コアスパン糸）であって、糸番手＃３０のニット糸にて、単位重量が３７０ｇ／ｍ２となるように丸編みをし、得られた編物を切り開いて幅が１５０ｃｍの編物を得た。【００６３】
この編物を用い、図７中（Ｂ）に示す箱型ベッド用シーツ７０を製造した。なお、編物の幅方向が、シーツの幅方向となるように使用した。出来上がり寸法は、幅９０ｃｍ、長さ１９０ｃｍ、側面の高さ２５ｃｍであった。【００６４】
このシーツで、幅１００ｃｍ、長さ２００ｃｍ、側面の高さ３０ｃｍのサイズのベッド用マットレスを被覆したところ、そのマットレスによくフィットした。
【図１】
2006082725.tif 000004
【図２】
2006082725.tif 000005
【図３】
2006082725.tif 000006
【図４】
2006082725.tif 000007
【図５】
2006082725.tif 000008
【図６】
2006082725.tif 000009
【図７】
2006082725.tif 000010
【図８】
2006082725.tif 000011
【国際調査報告】
2006082725.tif 000012
2006082725.tif 000013
2006082725.tif 000014
2006082725.tif 000015